(57)【要約】      （修正有）【課題】ガスコンセント装置において、ガス栓のプラグ部とソケットとの接続状態を容易に確認できるようにするとともに、ソケット取外しのための構造を簡略化する。【解決手段】ガスコンセント装置１は、取付板２と、ガス栓３と、少なくともガス栓３のプラグ部に対応する領域に窓部４１ｃが形成された固定ケース４と、固定ケース４にプラグ部の軸線方向に摺動可能に支持されるとともに、この摺動に伴って固定ケース４の窓部４１ｃを開閉するスライドカバー５と、を備える。スライドカバー５はプラグ部の突出方向の端部に当接部５２を有する。プラグ部にソケット６が接続される際に、ソケット６の進退スリーブ６１が当接部５２に当たり、スライドカバー５を、窓部４１ｃを閉じる位置からソケット６の接続方向に摺動させる。プラグ部とソケット６との接続状態において、スライドカバー５は窓部４１ｃを開いて進退スリーブ６１を露出させる。【選択図】図３
2018040439.tif 000002
【特許請求の範囲】
【請求項１】
取付対象に固定された取付板と、
前記取付板に固定されるとともに、ソケットが着脱可能に接続されるプラグ部を有するガス栓と、
前記取付板に固定され、前記ガス栓を覆うとともに、少なくとも前記ガス栓のプラグ部に対応する領域に窓部が形成された固定ケースと、
前記固定ケースの内側に配置され、前記固定ケースに前記プラグ部の軸線方向に摺動可能に支持されるとともに、この摺動に伴って前記固定ケースの窓部を開閉するスライドカバーと、
を備え、
前記スライドカバーは前記プラグ部の突出方向の端部に当接部を有し、前記スライドカバーの摺動過程での前記当接部の移動軌跡上に、前記プラグ部に接続されたソケットの先端部の進退スリーブが配置されるようになっており、
前記プラグ部に前記ソケットが接続される際に、前記ソケットの進退スリーブが前記当接部に当たり、前記スライドカバーを、前記固定ケースの窓部を閉じる位置から前記ソケットの前記プラグ部への接続方向に摺動させ、
前記プラグ部と前記ソケットとの接続状態において、前記スライドカバーは前記固定ケースの窓部を開き、この窓部から前記ソケットの進退スリーブを露出させることを特徴とするガスコンセント装置。
【請求項２】
取付対象に固定された取付板と、
前記取付板に固定されるとともに、ソケットが着脱可能に接続されるプラグ部を有するガス栓と、
前記取付板に固定され、前記ガス栓を覆うとともに、少なくとも前記ガス栓のプラグ部に対応する領域に窓部が形成された固定ケースと、
前記固定ケースの内側に配置され、前記固定ケースに前記プラグ部の軸線方向に摺動可能に支持されるとともに、この摺動に伴って前記固定ケースの窓部を開閉するスライドカバーと、
を備え、
前記スライドカバーは前記プラグ部側に操作部を有するとともに、この操作部の前記プラグ部突出方向の端部に当接部を有し、
前記スライドカバーの摺動過程での前記当接部の移動軌跡上に、前記プラグ部に接続されたソケットの先端部の進退スリーブが配置されるようになっており、
前記プラグ部に前記ソケットが接続される際に、前記ソケットの進退スリーブが前記当接部に当たり、前記スライドカバーを、前記固定ケースの窓部を閉じる位置から前記ソケットの前記プラグ部への接続方向に摺動させ、
前記プラグ部と前記ソケットとの接続状態において、前記スライドカバーは前記固定ケースの窓部を開き、この窓部から、前記ソケットの進退スリーブと前記操作部を露出させることを特徴とするガスコンセント装置。
【請求項３】
前記窓部は、前記固定ケースにおいて少なくとも前記ガス栓のプラグ部の両側面に対応する領域に形成されていることを特徴とする請求項１または２に記載のガスコンセント装置。
【請求項４】
前記固定ケースの窓部は、前記固定ケースにおける前記ガス栓のプラグ部の両側面に対応する領域に一対形成されていることを特徴とする請求項１〜３のいずれかに記載のガスコンセント装置。
【請求項５】
前記ガス栓の軸線は上下方向に延び、前記プラグ部の先端は下を向いており、
前記スライドカバーは上下方向に摺動可能であるとともに、前記固定ケースに設けられた係止部により重力に抗して前記ケースに基準位置で支持されて前記固定ケースの窓部を閉じており、
前記プラグ部に前記ソケットが接続される際に、前記スライドカバーは前記ソケットにより前記基準位置から押し上げられ、前記固定ケースの窓部を開き、
前記プラグ部から前記ソケットが取り外された際に、前記スライドカバーは自重により下方の前記基準位置まで移動し、前記窓部を閉じることを特徴とする請求項１〜４のいずれかに記載のガスコンセント装置。
【請求項６】
前記固定ケースは横断面コ字形またはＵ字形をなす周壁を備え、この周壁により前記ガス栓の正面と両側面を覆っており、
前記スライドカバーは、前記固定ケースの周壁に対応して横断面コ字形又はＵ字形をなして前記固定ケースの窓部を開閉する周壁を備え、
前記スライドカバーの周壁は、前記固定ケースの周壁に摺動可能に支持されており、前記固定ケースの窓部を閉じたとき、前記固定ケースの周壁と協働して少なくとも前記ガス栓のプラグ部の正面と両側面とを覆うことを特徴とする請求項１〜５のいずれかに記載のガスコンセント装置。
【請求項７】
前記スライドカバーの周壁と前記固定ケースの周壁の間には、一対のガイド手段が設けられており、
前記ガイド手段は、前記固定ケースと前記スライドカバーのいずれか一方に形成され前記プラグ部の軸線方向に直線的に延びるガイド溝と、前記固定ケースと前記スライドカバーの他方から突出して前記ガイド溝に嵌め込まれたスライド部とを有することを特徴とする請求項６に記載のガスコンセント装置。
【発明の詳細な説明】
【技術分野】
【０００１】
本発明は、ガス栓を覆うケースを備えたガスコンセント装置に関する。
【背景技術】
【０００２】
建物の完成後に壁等の取付対象に増設されるガスコンセント装置は、壁に固定された取付板と、この取付板に固定されたガス栓と、このガス栓を覆うようにして取付板に固定された固定ケースを有している。
【０００３】
ガス栓には、迅速継手を介してガス燃焼器具が接続される。この迅速継手は、ガス栓のプラグ部と、ガス燃焼器具から延びる二次側ガス配管の先端に取り付けられたソケットにより構成されている。ソケットをプラグ部に接続した時にガス栓が開き、ソケットをプラグ部から外した時にガス栓が閉じられるようになっている。ソケットはその先端部に進退スリーブを有している。この進退スリーブは、ソケットの軸線方向に移動可能であり、ソケットがプラグ部に接続された時に前方に突出することにより、ソケットとプラグ部を係合させるようになっている。ガス栓のプラグ部からソケットを取り外すためには、進退スリーブを後退させて、ソケットとプラグ部の係合状態を解除する必要がある。
【０００４】
下記特許文献１のガスコンセント装置は、固定ケース内部に揺動リンクと操作ボタンからなるソケット取外し構造を備えている。揺動リンクはガス栓に揺動可能に設けられている。プラグ部にソケットが接続される際に、ソケットの進退スリーブが揺動リンクの一端部を押して揺動リンクを揺動させる。このとき揺動リンクの他端部が操作ボタンの基端部を押して先端部をケースから突出させる。この突出した先端部により、プラグ部とソケットが接続状態にあることを確認できる。
【０００５】
プラグ部とソケットとの接続状態において、突出した操作ボタンの先端部を固定ケースに向かって押し込むと、操作ボタンの基端部が揺動リンクの他端部を押して揺動リンクを揺動させ、その一端部がソケットの進退スリーブを押圧して後退させる。これにより、ソケットとプラグ部の係合が解除され、ソケットをプラグ部から取り外すことができる。
【先行技術文献】
【特許文献】
【０００６】
【特許文献１】特開２００７−２４２８４号公報
【発明の概要】
【発明が解決しようとする課題】
【０００７】
特許文献１のガスコンセント装置では、ガス栓のプラグ部に接続されたソケットを直接視認できなかった。
また、特許文献１のガスコンセント装置では、ソケット取外し構造として、固定ケース内に操作ボタンと揺動リンクを設けており、構造が複雑で製造費が嵩んでいた。
【課題を解決するための手段】
【０００８】
上記課題を解決するために、本発明のガスコンセント装置は、取付対象に固定された取付板と、前記取付板に固定されるとともに、ソケットが着脱可能に接続されるプラグ部を有するガス栓と、前記取付板に固定され、前記ガス栓を覆うとともに、少なくとも前記ガス栓のプラグ部に対応する領域に窓部が形成された固定ケースと、
前記固定ケースの内側に配置され、前記固定ケースに前記プラグ部の軸線方向に摺動可能に支持されるとともに、この摺動に伴って前記固定ケースの窓部を開閉するスライドカバーと、を備え、前記スライドカバーは前記プラグ部の突出方向の端部に当接部を有し、前記スライドカバーの摺動過程での前記当接部の移動軌跡上に、前記プラグ部に接続されたソケットの先端部の進退スリーブが配置されるようになっており、前記プラグ部に前記ソケットが接続される際に、前記ソケットの進退スリーブが前記当接部に当たり、前記スライドカバーを、前記固定ケースの窓部を閉じる位置から前記ソケットの前記プラグ部への接続方向に摺動させ、前記プラグ部と前記ソケットとの接続状態において、前記スライドカバーは前記固定ケースの窓部を開き、この窓部から前記ソケットの進退スリーブを露出させることを特徴とする。
【０００９】
上記構成によれば、ガス栓のプラグ部とソケットとの接続状態を、固定ケースの窓部が開いていることにより確認できるとともに、固定ケースの窓部から直接視認できる。また、ソケットを取り外すために、固定ケースの窓部からソケットの進退スリーブを操作するので、取り外し操作がわかりやすく、ソケット取外しのための構造が簡略化され、製造費が低減される。
【００１０】
本発明の他の態様をなすガスコンセント装置は、取付対象に固定された取付板と、前記取付板に固定されるとともに、ソケットが着脱可能に接続されるプラグ部を有するガス栓と、前記取付板に固定され、前記ガス栓を覆うとともに、少なくとも前記ガス栓のプラグ部に対応する領域に窓部が形成された固定ケースと、前記固定ケースの内側に配置され、前記固定ケースに前記プラグ部の軸線方向に摺動可能に支持されるとともに、この摺動に伴って前記固定ケースの窓部を開閉するスライドカバーと、を備え、前記スライドカバーは前記プラグ部側に操作部を有するとともに、この操作部の前記プラグ部突出方向の端部に当接部を有し、前記スライドカバーの摺動過程での前記当接部の移動軌跡上に、前記プラグ部に接続されたソケットの先端部の進退スリーブが配置されるようになっており、前記プラグ部に前記ソケットが接続される際に、前記ソケットの進退スリーブが前記当接部に当たり、前記スライドカバーを、前記固定ケースの窓部を閉じる位置から前記ソケットの前記プラグ部への接続方向に摺動させ、前記プラグ部と前記ソケットとの接続状態において、前記スライドカバーは前記固定ケースの窓部を開き、この窓部から、前記ソケットの進退スリーブと前記操作部を露出させることを特徴とする。
【００１１】
上記構成によれば、ガス栓のプラグ部とソケットとの接続状態を、固定ケースの窓部が開いていることにより確認できるとともに、固定ケースの窓部から直接視認できる。また、ソケットを取り外すために、固定ケースの窓部からスライドカバーの操作部を操作するので、ソケット取外しのための構造が簡略化され、製造費が低減される。さらに、ソケットを取り外すためのスライドカバーの摺動方向は、ソケットが取り外される方向であるので、取り外し操作がわかりやすい。
【００１２】
好ましくは、前記窓部は、前記固定ケースにおいて少なくとも前記ガス栓のプラグ部の両側面に対応する領域に形成されている。
上記構成によれば、窓部からソケットの進退スリーブ又はスライドカバーの操作部を親指と人差し指又は中指で掴むことができ、より一層操作がし易い。
【００１３】
好ましくは、前記固定ケースの窓部は、前記固定ケースにおける前記ガス栓のプラグ部の両側面に対応する領域に一対形成されている。
上記構成によれば、固定ケースの窓部を、ソケットの進退スリーブ又はスライドカバーの操作部の把持のために必要な領域だけに形成することができる。
【００１４】
好ましくは、前記ガス栓の軸線は上下方向に延び、前記プラグ部の先端は下を向いており、前記スライドカバーは上下方向に摺動可能であるとともに、前記固定ケースに設けられた係止部により重力に抗して前記ケースに基準位置で支持されて前記固定ケースの窓部を閉じており、前記プラグ部に前記ソケットが接続される際に、前記スライドカバーは前記ソケットにより前記基準位置から押し上げられ、前記固定ケースの窓部を開き、前記プラグ部から前記ソケットが取り外された際に、前記スライドカバーは自重により下方の前記基準位置まで移動し、前記窓部を閉じる。
上記構成によれば、プラグ部からソケットが取り外されると、スライドカバーは自重により窓部を閉じるので、プラグ部は常に外部から保護される。
【００１５】
好ましくは、前記固定ケースは横断面コ字形またはＵ字形をなす周壁を備え、この周壁により前記ガス栓の正面と両側面を覆っており、前記スライドカバーは、前記固定ケースの周壁に対応して横断面コ字形又はＵ字形をなして前記固定ケースの窓部を開閉する周壁を備え、前記スライドカバーの周壁は、前記固定ケースの周壁に摺動可能に支持されており、前記固定ケースの窓部を閉じたとき、前記固定ケースの周壁と協働して少なくとも前記ガス栓のプラグ部の正面と両側面とを覆う。
上記構成によれば、固定ケースの周壁とスライドカバーの周壁の間に隙間が形成されることなく、ガス栓のプラグ部を良好に覆うことができる。
【００１６】
好ましくは、前記スライドカバーの周壁と前記固定ケースの周壁の間には、一対のガイド手段が設けられており、前記ガイド手段は、前記固定ケースと前記スライドカバーのいずれか一方に形成され前記プラグ部の軸線方向に直線的に延びるガイド溝と、前記固定ケースと前記スライドカバーの他方から突出して前記ガイド溝に嵌め込まれたスライド部とを有する。
上記構成によれば、スライドカバーを安定して支持することができる。
【発明の効果】
【００１７】
本発明によれば、ガス栓のプラグ部とソケットとの接続状態を容易に確認することができる。また、ソケット取り外し操作が分かりやすく、構造が簡単になり、製造費が低減される。
【図面の簡単な説明】
【００１８】
【図１】本発明の第１実施形態に係るガスコンセント装置の、ソケットがガス栓に接続される前の状態を示し、（Ａ）は正面図、（Ｂ）は固定ケース及びスライドカバーを断面にして示す右側面図である。
【図２】同実施形態のガスコンセント装置の、ソケットがガス栓に接続される前の状態を示す斜視図である。
【図３】同実施形態のガスコンセント装置の、ソケットがガス栓に接続された状態を示し、（Ａ）は正面図、（Ｂ）は固定ケース及びスライドカバーを断面にして示す右側面図である。
【図４】同実施形態のガスコンセント装置の、ソケットがガス栓に接続された状態を示す斜視図である。
【図５】上記固定ケースとスライドカバーを分解して、背面側から見た斜視図である。
【図６】（Ａ）は上記スライドカバーが取り付けられた固定ケースの背面図、（Ｂ）は上記ガス栓が取り付けられた取付板の正面図である。
【図７】（Ａ）は図１のＡ−Ａ矢視断面図、（Ｂ）は図１のＢ―Ｂ矢視断面図である。
【図８】本発明の第２実施形態に係るガスコンセント装置のスライドカバーを正面側下方から見た斜視図である。
【図９】同実施形態のガスコンセント装置の、ソケットがガス栓に接続された状態を示す斜視図である。
【図１０】本発明の第３実施形態に係るガスコンセント装置のスライドカバーを正面側下方から見た斜視図である。
【図１１】同実施形態のガスコンセント装置の、ソケットがガス栓に接続された状態を示す斜視図である。
【発明を実施するための形態】
【００１９】
［第１実施形態］
以下、本発明の第１実施形態を、図１〜図７を参照して説明する。この実施形態は、本発明を、建物の壁Ｗ（取付対象）に増設されるガスコンセント装置に適用したものである。
図１に示すように、ガスコンセント装置１は、取付板２、ガス栓３、固定ケース４、及びスライドカバー５を備えている。
【００２０】
図６（Ｂ）に示すように、取付板２は正面視矩形の金属製の板材からなり壁Ｗに固定されている。取付板２の上縁、左右両側縁、下縁には、壁Ｗと直交する切起こし片２１，２２，２３が設けられている。
【００２１】
図１（Ｂ）、図６（Ｂ）に示すように、ガス栓３は、直線状をなして連なる胴部３１とプラグ部３２とを有している。胴部３１を包囲する固定金具２５を取付板２にねじ止めすることにより、ガス栓３が取付板２に固定されている。
【００２２】
本実施形態では、胴部３１およびプラグ部３２の軸線は上下方向に垂直に延び、プラグ部３２の先端は下を向いている。胴部３１の上端接続口には一次側ガス配管（図示しない）が接続され、プラグ部３２には、ガス機器から延びる二次側ガス配管（図示せず）の先端に取り付けられたソケット６（図３、図４に示す）が着脱可能に接続されるようになっている。
【００２３】
ソケット６とガス栓３のプラグ部３２は、日本工業規格（ＪＩＳ  Ｓ  ２１３５）で定めるガス機器用迅速継手を構成している。簡単に説明すると、ソケット６は先端部から突出するとともに軸方向に所定範囲移動可能に設けられた進退スリーブ６１を有している。ソケット６をプラグ部３２に所定の接続位置まで外挿すると、進退スリーブ６１が初期位置からさらに突出し、これにより、ソケット６がプラグ部３２に係合（ロック）される。上記ソケット６の接続状態において、進退スリーブ６１を初期位置まで押し戻すと、プラグ部３２とソケット６との係合が解除され、ソケット６がプラグ部３２から外れる。
【００２４】
取付板２にはさらに固定ケース４が固定されている。図５、図６（Ａ）に示すように、固定ケース４は、取付板２に対応して背面視矩形状をなしている。固定ケース４は、横断面コ字形（またはＵ字形）をなす周壁４１を有している。周壁４１は、半円筒形状の正面壁部４１ａと互いに平行をなす平板形状の左右の側壁部４１ｂ，４１ｂとを有している。
【００２５】
図５に示すように、周壁４１の上端は頂壁４２により塞がれている。頂壁４２には切欠き４２ａが形成されている。図１、図２に示すように、切欠き４２ａには、ガス栓３の胴部３１が貫通している。図５に示すように、周壁４１の下端は底壁４３により塞がれている。底壁４３には、プラグ部３２に接続する際にソケット６が通される通り穴４３ａが形成されている。
【００２６】
ケース４の取付板２への固定は、その周壁４１の両側壁部４１ｂ，４１ｂの縁部、頂壁４２の縁部、底壁４３の縁部を取付板２の切起こし片２１，２２，２３に嵌め、図６（Ａ）に示す頂壁４２に形成された凸部４２ｂを、図６（Ｂ）に示す切起こし片２１に形成された穴２１ａに嵌め、底壁４３に形成された穴４３ｂを貫通するネジを、切起こし片２３に形成されたネジ穴２３ａにねじ込むことによりなされる。
【００２７】
図５に示すように、固定ケース４の周壁４１には、窓部４１ｃ，４１ｃが一対形成されている。各窓部４１ｃは、正面壁部４１ａから側壁部４１ｂに跨るように形成されている。固定ケース４における窓部４１ｃ，４１ｃが形成された領域は、ガス栓３のプラグ部３２の両側面に対応している。
【００２８】
図１（Ａ）、図５に示すように、固定ケース４にはさらに、側壁部４１ｂの内側に窓部４１ｃの上部に隣接する一対のガイド溝４１ｄ，４１ｄが形成されている。各ガイド溝４１ｄは、ガス栓３のプラグ部３２の軸線方向に直線的に延びている。
【００２９】
図１、図５に示すように、スライドカバー５は、横断面コ字形（またはＵ字形）をなす周壁５１と、この周壁５１の下端（プラグ部３２の突出方向の端部）から取付板２に向かって水平に延びる当接部５２とを有している。
【００３０】
周壁５１は、半円筒形状の正面壁部５１ａと互いに平行をなす平板形状の左右の側壁部５１ｂ，５１ｂとを有している。図１、図７に示すように、スライドカバー５は固定ケース４の内側すなわちプラグ部３２側に配置されている。スライドカバー５の周壁５１は固定ケース４の周壁４１に対応した形状をしており、周壁５１の外面は周壁４１の内面に接している。正面壁部５１ａの中央は側壁部５１ｂから下方に延びており、その下端に上記当接部５２が形成されている。
【００３１】
図５に示すように、当接部５２は、基部５２ａと、この基部５２ａから取付板２に向かって突出する一対の腕部５２ｂ，５２ｂを有している。基部５２ａ及び腕部５２ｂは、ガス栓３のプラグ部３２の正面を及び両側面を囲んでいる。
【００３２】
スライドカバー５の周壁５１は、図７（Ａ）に示す一対のガイド手段Ｇにより、固定ケース４に上下方向（プラグ部３２の軸線方向）に摺動可能に支持されている。一対のガイド手段Ｇは、固定ケース４の両側壁部４１ｂ，４１ｂに形成されたガイド溝４１ｄ，４１ｄと、スライドカバー５の両側壁部５１ｂ，５１ｂの外面上部から外方向に突出する一対のスライド部５３，５３により構成されている。
【００３３】
スライドカバー５を、プラグ部３２の軸線と直交する方向に固定ケース４に向かって押し込むことにより、一対のスライド部５３，５３は、一対のガイド溝４１ｄ，４１ｄに、固定ケース４とスライドカバー５の弾性を利用して嵌め込むことができる。スライド部５３は、端部（押し込み方向における前側の端部）が傾斜しているので、ガイド溝４１ｄに嵌め込み易くなっている。
【００３４】
次に、ソケット６のガス栓３のプラグ部３２に対する接続及び取り外しについて説明する。
図１、図２に示すように、ソケット６がプラグ部３２に接続されていない状態では、スライドカバー５は自重により下方の基準位置にあり、この基準位置でスライドカバー５のスライド部５３が固定ケース４のガイド溝４１ｄの下端４１ｅ（係止部）に当たることにより維持されている。この基準位置において、スライドカバー５は固定ケース４の窓部４１ｃ，４１ｃを閉じており、図７（Ｂ）に示すように、スライドカバー５の周壁５１は、固定ケース４の周壁４１と協働してガス栓３のプラグ部３２の正面と両側面を覆っている。
【００３５】
図１、図２に示すように、基準位置にあるスライドカバー５の当接部５２はプラグ部３２側に位置しており、スライドカバー５の摺動過程での当接部５２の移動軌跡上に、後述する接続状態のソケット６の進退スリーブ６１が配置されるようになっている。
【００３６】
ソケット６をプラグ部３２に接続するには、ソケット６を固定ケース４の通り穴４３ａから上方に移動させる。すると、初期位置にあるソケット６の進退スリーブ６１がスライドカバー５の当接部５２に当たり、スライドカバー５を押し上げる。ソケット６をスライドカバー５と一緒にさらに上方、すなわちソケット６のプラグ部３２への接続方向に移動させると、ソケット６は接続位置までプラグ部３２に外挿される。すると、進退スリーブ６１が上方に突出し、ソケット６とプラグ部３２が係合状態になる。
【００３７】
図３、図４に示すように、ソケット６がプラグ部３２に接続され、進退スリーブ６１が上方に突出した状態において、スライドカバー５は固定ケース４の窓部４１ｃを開き、この窓部４１ｃからソケット６の進退スリーブ６１は露出している。このように、固定ケース４の窓部４１ｃが開いていることから、ソケット６との接続状態を確認することができる。さらに、ソケットの進退スリーブ６１を視認することによっても、ソケット６の接続状態を確認することができる。
【００３８】
ソケット６をガス栓３のプラグ部３２から取り外す場合には、固定ケース４の窓部４１ｃから露出したソケット６の進退スリーブ６１を、親指と人差し指又は中指で掴んで下方に押し下げる。これにより、進退スリーブ６１は初期位置へと後退し、その結果、ソケット６とプラグ部３２との係合が解除され、ソケット６はプラグ部３２から外される。このとき、スライドカバー５は自重により下方の前記基準位置まで移動し、固定ケース４の窓部４１を閉じる。
【００３９】
［第２実施形態］
図８、図９は、本発明の第２実施形態に係るガスコンセント装置１Ａを示す。
このガスコンセント装置１Ａでは、スライドカバー５Ａの当接部５２に第１実施形態においてプラグ部３２の両側面に延びる腕部５２ｂが設けられていない。本実施形態では、当接部５２は、基部５２ａだけで構成され、プラグ部３２の正面側からのみソケット６の進退スリーブ６１に当接する。そのため、接続状態にあるソケット６の進退スリーブ６１をその両側面側からより後退させやすくなっている。
【００４０】
［第３実施形態］
図１０、図１１は、本発明の第３実施形態に係るガスコンセント装置１Ｂを示す。
このガスコンセント装置１Ｂでは、スライドカバー５Ｂの下部（プラグ部３２側の部位）が操作部５４となっており、この操作部５４の下端（プラグ部３２の突出方向の端部）が当接部５２となっている。操作部５４は横断面コ字形（ないしはＵ字形）をなして周壁５１に連なるが周壁５１より小径をなしている。
【００４１】
プラグ部３２にソケット６が接続されていない時、すなわちスライドカバー５Ｂが基準位置にある時、スライドカバー５Ｂの周壁５１が固定ケース４の窓部４１ｃを閉じている。
【００４２】
プラグ部３２にソケット６が接続された時には、第１実施形態と同様にスライドカバー５Ｂが上方に移動し、固定ケース４の窓部４１ｃが開かれる。この接続状態では、図１１に示すように、窓部４１ｃからソケット操作部５４とソケット６の進退スリーブ６１が露出する。
【００４３】
ソケット６をプラグ部３２から取り外す場合には、操作部５４を親指と人差し指または中指で掴んで下方に押す。このとき、スライドカバー５の当接部５２がソケット６の進退スリーブ６１を下方に後退させ、ソケット６はプラグ部３２から取り外される。
上記第３実施形態において、操作部５４は周壁５１と同一の横断面形状を有していてもよい。
【００４４】
なお、本発明は、上記実施形態に限定されるものではなく、その要旨を逸脱しない範囲において各種の変形例を採用することができる。
上記実施形態において、ガイド手段は、スライドカバーに形成されたガイド溝と固定ケースに形成されたスライド部により構成してもよい。
上記実施形態において、プラグ部の軸線は水平に延びていてもよい。この場合、スライドカバーは水平方向に摺動され、バネにより基準位置に付勢される。
上記実施形態において、窓部は、固定ケースにおいてガス栓のプラグ部の両側面と正面に対応する領域にわたって連続して形成してもよい。
【産業上の利用可能性】
【００４５】
本発明は、壁等に設置されるガスコンセント装置に適用することができる。
【符号の説明】
【００４６】
１，１Ａ，１Ｂ    ガスコンセント装置
２    取付板
３    ガス栓
３２  プラグ部
４    固定ケース
４１  周壁
４１ｃ  窓部
４１ｄ  ガイド溝
４１ｅ  係止部
５    スライドカバー
５１  周壁
５２  当接部
５３  スライド部
５４  操作部
６    ソケット
６１  進退スリーブ
Ｗ    壁（取付対象）
Ｇ  ガイド手段
【図１】
2018040439.tif 000003
【図２】
2018040439.tif 000004
【図３】
2018040439.tif 000005
【図４】
2018040439.tif 000006
【図５】
2018040439.tif 000007
【図６】
2018040439.tif 000008
【図７】
2018040439.tif 000009
【図８】
2018040439.tif 000010
【図９】
2018040439.tif 000011
【図１０】
2018040439.tif 000012
【図１１】
2018040439.tif 000013